(57)【特許請求の範囲】
【請求項１】
異なるプロトコルを使用する非互換性のホームネットワーク及び外部移動体ネットワークの構成要素とインタワークするため、前記ホームネットワークと前記外部移動体ネットワーク間でのショートメッセージの形式変換を行うため、及び変換したメッセージをルーティングするための手段を有するゲートウェイ関数（ＳＭＧＦ）を含むショートメッセージゲートウェイであり、
前記ゲートウェイ関数が、前記ホームネットワークのホームロケーションレジスタ（ＨＬＲ）及びショートメッセージサービスセンター（ＳＭＳＣ）と通信するため、及び前記ホームネットワークにおけるゲートウェイ移動体交換センター（Ｇ−ＭＳＣ）を介して前記外部ネットワークと通信するための手段を有し、
前記ゲートウェイが更に、ショートメッセージを転送しようとするホームネットワークのＳＭＳＣからのルーティング問合せに応答して、サービス提供ＶＭＳＣとして前記ゲートウェイ関数のアドレスを戻すための手段を前記ホームネットワークのホームロケーションレジスタ（ＨＬＲ）内に含み、かつ、前記ゲートウェイ関数が、前記ホームネットワークのＳＭＳＣからショートメッセージを受信するため、及び前記ショートメッセージのプロトコル変換を行うための手段を有し、
前記ゲートウェイが、ショートメッセージを前記外部ネットワークから受信するため、及びそれらを前記ゲートウェイ関数に転送するための手段を前記Ｇ−ＭＳＣ内に含み、かつ、前記ゲートウェイ関数が、前記ショートメッセージを前記Ｇ−ＭＳＣから受信するため、及び前記ショートメッセージのプロトコル変換を行うための手段を有することを特徴とするショートメッセージゲートウェイ。
【請求項２】
前記ゲートウェイ関数が、類似のプロトコルを使用する一方の側の複数のネットワークと、異なるプロトコルを使用する他方の側のネットワークとの間でのインタワークをするための手段を含むことを特徴とする請求項１に記載のショートメッセージゲートウェイ。
【請求項３】
前記ゲートウェイが、前記外部ネットワークにおけるローミング端末のＭＳＲＮを前記ゲートウェイ関数に提供するための手段を前記ＨＬＲ内に含むことを特徴とする請求項１又は２に記載のショートメッセージゲートウェイ。
【請求項４】
前記ゲートウェイが、ＰＤＣ外部端末向けの擬似コールのためのルーティングデータを前記ゲートウェイ関数に提供するための手段を前記ＨＬＲ内に含み、前記コールが、ＩＳＤＮ擬似コールセットアップのcall-user dataフィールドにおいてショートメッセージを送信するためのものであり、前記ゲートウェイ関数が、ショートメッセージを運ぶために用いられるＰＤＣコールセットアップ試行を認識するため、及び前記メッセージを前記ゲートウェイ関数へとルーティングするための手段を前記Ｇ−ＭＳＣ内に有することを特徴とする請求項３に記載のショートメッセージゲートウェイ。
【請求項５】
前記ゲートウェイ関数が、設定可能な時間間隔でショートメッセージ統計データを捕捉するための手段を更に含むことを特徴とする請求項１乃至４のいずれかに記載のショートメッセージゲートウェイ。
【請求項６】
前記ゲートウェイ関数が、対応するメッセージクラスとテレサービス（tele-services）のテーブルを維持するため、及びメッセージクラスとテレサービスの変換のために前記テーブルを用いるための手段を含むことを特徴とする請求項１乃至５のいずれかに記載のショートメッセージゲートウェイ。
【請求項７】
前記ゲートウェイ関数が、異なるデータコーディングスキーム間のプログラム可能なマッピング関数を含み、前記マッピング関数が、オペレータのコマンド及び設定可能なファイルの形態にある命令によって制御されることを特徴とする請求項１乃至６のいずれかに記載のショートメッセージゲートウェイ。
【請求項８】
前記ゲートウェイ関数が、ネットワークが別のネットワークより短い最長メッセージ長さを有する場合に、メッセージのセグメント化を行うための手段を含むことを特徴とする請求項１乃至７のいずれかに記載のショートメッセージゲートウェイ。
【請求項９】
前記ゲートウェイ関数が、診断データのネットワークトランザクションログを維持するための手段を更に含むことを特徴とする請求項１乃至８のいずれかに記載のショートメッセージゲートウェイ。
【請求項１０】
前記ゲートウェイ関数が、外部ＰＤＣネットワークにおいて発信されたＩＡＭに含まれるショートメッセージを受信することに応答して、
ＭＳＩＳＤＮ又はＭＳＮが代入されたＳＲＩ＿ＳＭをホームネットワークのＨＬＲに送信し、
前記サービス提供ＶＭＳＣとしての前記ゲートウェイ関数のアドレスを含むＳＲＩ＿ＳＭ  Ａｃｋ応答を前記ホームネットワークのＨＬＲから受信し、
それに応答して、ＳＲＩメッセージを前記ホームネットワークのＨＬＲに送信し、
ＰＤＣのＲＯＮが代入されたＭＳＲＮを有するＳＲＩ  Ａｃｋを前記ＨＬＲから受信し、
受信した前記ＩＡＭに基いて新たなＩＡＭを発生し、かつＣｄＰＡに前記ＲＯＮを代入し、かつ、
前記新たなＩＡＭを前記ホームネットワークのＧ−ＭＳＣに転送するための手段を有することを特徴とする請求項１乃至９のいずれかに記載のショートメッセージゲートウェイ。
【請求項１１】
前記ゲートウェイ関数が、外部ＰＤＣネットワークにおいて発信されたＩＡＭに含まれるショートメッセージを受信することに応答して、
宛先ＭＳＩＳＤＮにセットされたＣｄＰＡを有するＳＲＩ＿ＳＭを前記ホームネットワークのＨＬＲに送信し、
前記ゲートウェイ関数のアドレスをアドレスを有するＳＲＩ＿ＳＭ  Ａｃｋを前記ホームネットワークのＨＬＲから受信し、
前記ＭＳＩＳＤＮが代入されたＳＲＩメッセージを送信することによって前記ホームネットワークのＨＬＲに応答し、
ＰＤＣ端末の種類及び前記端末が登録されたＰＤＣネットワークを示すＰＤＣ端末種類情報を含むＳＲＩ  Ａｃｋ応答を前記ホームネットワークのＨＬＲから受信し、
前記ＰＤＣ端末種類情報に基づいて、プリフィクス番号を前記端末のディレクトリ番号に付加しかつこの組み合わせを用いて前記ＩＡＭの目的地アドレス（Called Party Address）を代入し、ショートメッセージの変換を実行しかつ変換された前記メッセージを前記ＩＡＭに代入し、かつ、
前記外部ネットワークに前進ルーティングするために前記ＩＡＭを前記ホールネットワークのＧ−ＭＳＣに送信するための手段を有することを特徴とする請求項１乃至１０のいずれかに記載のショートメッセージゲートウェイ。
【請求項１２】
前記ゲートウェイ関数が、設定可能な基準に従ってメッセージのフィルタリング、又は条件付きの透過若しくは阻止を行うための手段を有することを特徴とする請求項１乃至１１のいずれかに記載のショートメッセージゲートウェイ。
【請求項１３】
前記基準が、発信端末又はサービス番号若しくは番号グループであることを特徴とする請求項１２に記載のショートメッセージゲートウェイ。
【請求項１４】
前記ゲートウェイ関数が、ショートメッセージを、その宛先及び使用されるデータコーディングスキームによって受容又は拒絶する処理手続きを実行するための手段を有することを特徴とする請求項１乃至１３のいずれかに記載のショートメッセージゲートウェイ。
【請求項１５】
前記ゲートウェイ関数が、ＲＥＬ（開放）メッセージに含まれる双方向メッセージからのＰＤＣ応答を、前記ホームネットワークにおける独立したメッセージに変換するための手段を有することを特徴とする請求項１乃至１４のいずれかに記載のショートメッセージゲートウェイ。
【請求項１６】
前記ゲートウェイ関数が、ショートメッセージが首尾良く移動体機器に転送されかつ該移動体機器により解釈され得るようにデータコーディングスキーム間で変換を行うための手段を有することを特徴とする請求項７乃至１５のいずれかに記載のショートメッセージゲートウェイ。
【請求項１７】
前記ゲートウェイ関数が、前記外部ネットワークにおいてローミング中のホームネットワークの端末又は前記外部ネットワークにおいてローミング中の移植された外部ネットワークの端末から移動体発信のショートメッセージを受信することに応答して、前記ショートメッセージのプロトコル変換を行い、かつそれを前記ホームネットワークのＳＭＳＣにフォワーディングするための手段を有することを特徴とする請求項１乃至１６のいずれかに記載のショートメッセージゲートウェイ。
【発明の詳細な説明】
【０００１】
（序論）
（技術分野）
本発明は、ＰＤＣネットワーク及びＩＭＴ−２０００ネットワークのような、非互換性のネットワーク間でのショートメッセージの転送に関するものである。本明細書において、これら２種のネットワークを、信号の転送を説明するための例として用いる用いる。
【０００２】
（従来技術の説明）
現在、非互換性ネットワーク間でのショートメッセージの通信は、複雑で誤りが発生しやすい。
従って、本発明は、透過性を達成する程度までそのような通信を改善するゲートウェイを提供することをその目的とする。
【０００３】
本明細書において、ＰＤＣネットワークとＩＭＴ−２０００ネットワーク間でのショートメッセージ透過性とは、ホームの技術によってサービスされるショートメッセージサービスセンターが、外部の技術によってサービスされるハンドセットにショートメッセージを送信し、かつ外部技術のハンドセットが、ショートメッセージをそれらのホームの技術によってサービスされるそれらのホームショートメッセージサービスセンターに送信する能力を意味する。従って、本発明は、ＰＤＣ／ＩＭＴ−２０００環境において以下に述べるようなショートメッセージ端末の透過性を達成することを、その目的とする。
【０００４】
・ＩＭＴ−２０００ネットワークにあるＩＭＴ−２０００端末が、
（ａ）ＰＤＣネットワークにあるＰＤＣ端末、
（ｂ）ＩＭＴ−２０００ネットワークにあるＩＭＴ−２０００端末、
（ｃ）ＰＤＣネットワークにローミング中のＩＭＴ−２０００端末、
（ｄ）ＩＭＴ−２０００のオペレータが、適切なインタワーク契約を結んだ相手である他のＩＭＴ−２０００又はＧＳＭネットワークにある他の端末
にショートメッセージを送信できること。
・ＩＭＴ−２０００ネットワークにあるＩＭＴ−２０００端末が、ショートメッセージを、
（ａ）ＰＤＣネットワークにあるＰＤＣ端末、
（ｂ）ＩＭＴ−２０００ネットワークにあるＩＭＴ−２０００端末、
（ｃ）ＰＤＣネットワークにローミング中のＩＭＴ−２０００端末、
（ｄ）ＩＭＴ−２０００のオペレータが、適切なインタワーク契約を結んだ相手である他のＩＭＴ−２０００又はＧＳＭネットワークにある他の端末
からのショートメッセージを受信できること。
・ＰＤＣネットワークにローミング中のＩＭＴ−２０００端末が、
（ａ）ＰＤＣネットワークにあるＰＤＣ端末、
（ｂ）ＩＭＴ−２０００ネットワークにあるＩＭＴ−２０００端末、
（ｃ）ＰＤＣネットワークにローミング中のＩＭＴ−２０００端末、
（ｄ）ＩＭＴ−２０００のオペレータが、適切なインタワーク契約を結んだ相手である他のＩＭＴ−２０００又はＧＳＭネットワークにある他の端末
にショートメッセージを送信できること。
・ＰＤＣネットワークにローミング中のＩＭＴ−２０００端末が、
（ａ）ＰＤＣネットワークにあるＰＤＣ端末、
（ｂ）ＩＭＴ−２０００ネットワークにあるＩＭＴ−２０００端末、
（ｃ）ＰＤＣネットワークにローミング中のＩＭＴ−２０００端末、
（ｄ）ＩＭＴ−２０００のオペレータが、適切なインタワーク契約を結んだ相手である他のＩＭＴ−２０００又はＧＳＭネットワークにある他の端末
からのショートメッセージを受信できること。
【０００５】
或る加入者端末のホームのショートメッセージサービスセンター（ＳＭＳＣ）は、移動体発信ショートメッセージを処理するＳＭＳＣである。詳述すると、ＩＭＴ−２０００端末のホームＳＭＳＣは、ＰＤＣネットワークにローミング中でもＩＭＴ−２０００にある。ＰＤＣ端末のホームＳＭＳＣはＰＤＣネットワークにある。
【０００６】
（発明の概要）
（発明の開示）
本発明によれば、非互換性のネットワークの構成要素とインタワークし、かつそのネットワーク間でのショートメッセージの形式変換を行うための手段を有するゲートウェイ関数（ＳＭＧＦ）を含むことを特徴とするショートメッセージゲートウェイが提供される。
【０００７】
或る実施態様では、前記ゲートウェイ関数が、一方の複数の類似のネットワークと、他方の異なる非互換性のネットワークとの間でのインタワークをするための手段を含む。
【０００８】
別の実施態様では、前記ゲートウェイ関数が、ホームネットワークに存在し、かつそのホームネットワークと外部ネットワークとのインタワーク関数を、前記外部ネットワークを変更することなく行うための手段を含む。
【０００９】
更に別の実施態様では、前記ゲートウェイ関数が、前記ホームネットワークにおけるゲートウェイ移動体交換センター（Ｇ−ＭＳＣ）を介して前記外部ネットワークと通信するための手段を含む。
【００１０】
或る実施態様では、前記ゲートウェイが、前記ホームネットワークのホームロケーションレジスタ（ＨＬＲ）に設けられる、信号の性質に応じてサービス提供ＶＭＳＣとして又はホームＳＭＳＣとして前記ゲートウェイ関数のアドレスを戻す手段を更に含む。
【００１１】
或る実施態様では、前記ＨＬＲが、外部ネットワークにおけるローミング端末のＭＳＲＮを前記ゲートウェイ関数に提供するための手段を含む。
【００１２】
或る実施態様では、前記ＨＬＲが、外部端末のコールのためのルーティングデータを前記ゲートウェイ関数に提供するための手段を含む。
【００１３】
或る実施態様では、前記ゲートウェイ関数が、設定可能な時間間隔でショートメッセージ統計データを捕捉するための手段を更に含む。
【００１４】
或る実施態様では、前記ゲートウェイ関数が、対応するメッセージクラスとテレサービス（tele-service）のテーブルを維持し、かつそにテーブルを用いてメッセージクラスとテレサービスの変換を行うための手段を含む。
【００１５】
或る実施態様では、前記ゲートウェイ関数が、異なるデータコーディングスキーム間のプログラム可能なマッピング関数を含み、前記マッピング関数が、オペレータのコマンド及び設定可能なファイルの形態にある命令によって制御される。
【００１６】
別の実施態様では、前記ゲートウェイ関数が、開放メッセージを独立したメッセージに変換するための手段を含む。
【００１７】
更に別の実施態様では、前記ゲートウェイ関数が、ネットワークが別のネットワークより短い最長メッセージ長さを有する場合に、メッセージのセグメント化を行うための手段を含む。
【００１８】
別の実施態様では、前記ゲートウェイ関数が、診断データのネットワークトランザクションログを維持するための手段を更に含む。
【００１９】
（発明の詳細な説明）
本発明は、添付の図面とともに、単なる例示として提示された以下のいくつかの実施例についての説明を参照することで、より明確に理解されよう。
【００２０】
（実施例の説明）
本発明は、ゲートウェイ関数（ＳＭＧＦ）及び他のネットワーク要素のコンポーネントを含むショートメッセージゲートウェイを提供する。ＳＭＧＦは、ネットワーク間のショートメッセージの全てがルーティングされるときに通過するゲートウェイ関数である。ＳＭＧＦは、異なるプロトコル間及び手続きの要素間を媒介し、かつショートメッセージを適切な形式に変換し、宛先ネットワークへルーティングする役目を担っている。このことは、図１及び図２に表示されている。
【００２１】
ＳＭＧＦは、ＩＭＴ−２０００ネットワークにおいて独立した構成要素として存在し、ＰＤＣネットワークとローミング契約を結んでいる。また、ＳＭＧＦは、ＰＤＣネットワークに対してインフラストラクチャについての要件を課すことはない。
【００２２】
ＩＭＴ−２０００ネットワークを行き先とするＰＤＣ  ＳＭＳＣショートメッセージ及びＰＤＣネットワークを行き先とするＩＭＴ−２０００  ＳＭＳＣショートメッセージは、全てＳＭＧＦにルーティングされる。ＳＭＧＦは、宛先のハンドセットの位置を決定するためにルーティング照会を行う。一旦、ハンドセットの宛先ネットワークが決定されると、ＳＭＧＦは、ＰＤＣショートメッセージとＩＭＴ−２０００ショートメッセージとの間で適切な形式の変換を行い、そのショートメッセージをサービス提供ＶＭＳＣへと送る。
【００２３】
ＰＤＣネットワークにローミング中のＩＭＴ−２０００端末からの移動体発信ショートメッセージは、ＩＭＴ−２０００ネットワークにあるホームＩＭＴ−２０００  ＳＭＳＣに供給され、そこから管理される。このことは図３に表示されている。
【００２４】
図４を参照すると、ＳＭＧＦが、ＰＤＣスタック（ＰＤＣ−ＩＳＵＰ及びＭＴＰ層を含む）及びＩＭＴ−２０００スタック（ＭＡＰ、ＴＣＡＰ、ＳＣＣＰ、及びＭＴＰ層を含む）の上にＳＭＧアプリケーションを含む。
【００２５】
ＳＭＧＦは、どの種類のネットワーク（即ちＩＭＴ−２０００又はＰＤＣ）から端末がサービスされているかを決定し、かつそれに基いてショートメッセージをルーティングするようにプログラムされている。ＳＭＧＦは、ＩＭＴ−２０００ネットワーク及びＰＤＣネットワークの両方における特定のネットワーク構成要素とインタワークできるようにするインタフェースプロトコルをサポートしている。それは、ＰＤＣ−ＩＳＵＰ上のＰＤＣネットワーク及びＧＳＭ  ＭＡＰ上のＩＭＴ−２０００ネットワークにインタフェースする。加えて、ＳＭＧＦは、ＩＭＴ−２０００とＰＤＣとの間でのショートメッセージの形式変換を行う機能をサポートしている。
【００２６】
そのシナリオに応じて、ＳＭＧＦは、サービス提供ＶＭＳＣ又はホームのＳＭＳＣの何れかとして現れる。何れのシナリオにおいても、その機能は、異なるプロトコル及び手続きの要素の間を媒介し、かつメッセージを中継し、かつその結果を解釈することである。メッセージの記憶はせず、従ってメッセージのデータベースは存在しない。
【００２７】
ＳＭＧＦアーキテクチャの重要な特徴は、「他のＩＭＴ−２０００ネットワーク」、例えば日本国外のネットワークからの加入者端末が、ＰＤＣ端末にショートメッセージを送信できる点である。同様に、ＰＤＣ端末は,他のＩＭＴ−２０００ネットワークのＩＭＴ−２０００端末にショートメッセージを送信し得る。これらの他のＩＭＴ−２０００ネットワークはＳＭＧＦノードを必要とせず、代わりに全てのショートメッセージが、ＳＭＧＦノードを備えたＩＭＴ−２０００ネットワークにルーティングされ、かつＳＭＧＦノードから先に転送され得る。
【００２８】
ショートメッセージ送信の基本的な原理は、全てのショートメッセージがショートメッセージサービスセンター（ＳＭＳＣ）によって処理されるということである。基本的なシナリオとして以下の２つがある。
・ＭＯ  移動体発信。これらのシナリオでは、加入者が（そのＳＩＭカード又はハンドセットにプログラムされてるように）その移動端末を用いてショートメッセージを発生し、それを加入者のホームＳＭＳＣに送信する。これらのシナリオでは何れにおいても、ショートメッセージをサービス提供ＭＳＣからショートメッセージサービスセンターに送信する処理が行われる。
全てのＩＭＴ−２０００端末は、それらのホームＳＭＳＣとしてＩＭＴ−２０００  ＳＭＳＣを有する。また、全てのＰＤＣ端末は、それらの加入ネットワークにおけるＰＤＣ  ＳＭＳＣを利用する。
・ＭＴ  移動体宛。これらのシナリオでは、ＳＭＳＣがショートメッセージを移動体に送信する。これらのシナリオでは何れにおいても、ＳＭＳＣからのショートメッセージをサービス提供ＶＭＳＣに送信する処理が行われる。ＭＴショートメッセージは、必ずしも移動体端末から発信されたものであるとは限らない。
【００２９】
基本的なインタワーク要件は、
・パートナーネットワークにある任意のＰＤＣ  ＳＭＳＣが、ＩＭＴ−２０００  ＭＳＣによってサービスされている移動体にショートメッセージを送信できること
・任意のＩＭＴ−２０００  ＳＭＳＣが、パートナーネットワークの１つにあるＰＤＣ  ＭＳＣによってサービスされている移動体にショートメッセージを送信できること
・パートナーネットワークにある任意のＰＤＣ  ＭＳＣが、ＩＭＴ−２０００  ＳＭＳＣにショートメッセージを送信できること
である。
【００３０】
シナリオは、ローミングや移植の可能性、即ち、
・ＩＭＴ−２０００端末がＰＤＣネットワークにローミングし得ること
・ＩＭＴ−２０００番号がＰＤＣ加入契約に移植されたものであり得ること
・ＰＤＣ番号がＩＭＴ−２０００加入契約に移植されたものであり得ること
によって複雑化される。
【００３１】
ＰＤＣからＩＭＴ−２０００へのローミングはあり得ないので、ＰＤＣ  ＳＭＳＣにショートメッセージを送信することは、ＩＭＴ−２０００  ＭＳＣに要求されない。上述のシナリオのために、以下のネットワーク要素及び関数が特定される。
【００３２】
ＩＭＴ−２０００
・ＨＬＲ：回路交換及びパケット交換ＩＭＴ−２０００加入者の両方のためのＩＭＴ−２０００  ＨＬＲ。
・ＳＭＳＣ：任意のＩＭＴ−２０００ショートメッセージサービスセンター。
・ＧＭＳＣ：ゲートウェイＭＳＣ。以下の全てのシナリオにおいて、これはＰＤＣネットワークにインタフェースするゲートウェイＭＳＣを指す。
【００３３】
ＰＤＣ
・ＳＭＳＣ：任意のＰＤＣショートメッセージサービスセンター。
・ＨＬＲ：ＰＤＣ加入者のためのＨＬＲ。
・ＧＬＲ：ゲートウェイロケーションレジスタ。他のネットワークからローミング中の端末を処理する擬似ＨＬＲ。詳述すると、ＰＤＣネットワークにローミング中のＩＭＴ−２０００端末が、そのホームＨＬＲからローミング番号（ＲＯＮ）を受信する。ホームＨＬＲはＧＬＲにルーティング命令を照会するために用いられる。
・ＩＷ−ＭＳＣ：ＰＤＣ  ＳＭＳＣとインタワークするＭＳＣ。
・ＶＭＳＣ：ＰＤＣ端末にサービスするＭＳＣ。
・ＧＭＳＣ：ゲートウェイＭＳＣ。以下のシナリオの全てにおいて、これはＩＭＴ−２０００ネットワークにインタフェースするゲートウェイＭＳＣを指す。
【００３４】
ＩＭＴ−２０００ネットワークにおいて、全てのショートメッセージ転送は、３ＧＰＰ  ＭＡＰオペレーションを用いて処理される。これらは、現在のＧＳＭ標準の進化したものである。移動体発信ショートメッセージの場合、移動体ステーションは、ＳＭＳＣ（通常はホームＳＭＳＣ）の電話番号を特定するメッセージを送信する。サービス提供ＭＳＣは、ＭＯ＿ＦＳＭ（Mobile Originated Forward Short Message）ＭＡＰオペレーションをホームＳＭＳＣに送信し、ホームＳＭＳＣが転送を処理する。ＩＭＴ−２０００  ＳＭＳＣからの移動体宛ショートメッセージの場合は、ＳＭＳＣが受信側の移動体についてＨＬＲからのルーティング情報を要求する。相互接続契約により、オペレータが他のオペレータのドメインにあるＨＬＲに照会することが可能である。その移動端末がアクティブ状態にあると考えられる場合、ＨＬＲは、そのショートメッセージが送信されるべきサービス提供ＭＳＣの識別情報をもって応答する。
【００３５】
パートナーのＰＤＣネットワークでは、全てのショートメッセージが、（音声経路を確立することなく）ＩＳＤＮ擬似コールセットアップのcall-user-dataフィールドにおいて送信される。ショートメッセージは、ＩＳＵＰ  ＩＡＭオペレーションにおける特別なCalling Party's Category値によって通常のコールセットアップから区別される。移動体発信コールの場合は、ＰＤＣハンドセットが、サービス提供ＭＳＣを介してＰＤＣ  ＳＭＳＣへの擬似コールをセットアップする。移動体宛コールの場合は、ＳＭＳＣが、ＩＷ−ＭＳＣを介してＰＤＣハンドセットへの擬似コールをセットアップする。
【００３６】
ＳＭＧＦは、端末相互間アプリケーション手続きに含まれない。そのハンドセットがそこに送信される全てのメッセージを処理することが仮定されている。ＳＭＧＦは、発信端末又はサービス番号や番号グループのような、いくつかの設定可能な基準に従ってメッセージのフィルタリング、又は条件に基く透過・阻止を行う機能を提供し得る。
【００３７】
ＩＭＴ−２０００ショートメッセージは最大長さが１４０オクテットであり、一方ＰＤＣショートメッセージの最大長さは１２８オクテットである。ＩＭＴ−２０００  ＳＭＳＣからＰＤＣネットワーク中の端末への１２８オクテットより長いショートメッセージの転送を容易にするため、そのショートメッセージは１２８オクテット以下の長さにセグメント化され、２つの分割されたショートメッセージとして転送される。これらの２つのショートメッセージは、ＰＤＣハンドセット上で組み立て直される。
【００３８】
ＰＤＣショートメッセージ通信は、ショートメッセージのセグメント化及び再組み立てを可能にする連結テレサービス（tele-service）を備える。連結テレサービスを用いることにより、ハンドセットが、ショートメッセージの全てのセグメントを受信したか否かを決定し、そのことを表示する適切な応答を戻すことができるようになる。ＳＭＧＦには、必要な場合に、様々なネットワーク間で渡されるメッセージの連結及びセグメント化を実施する機能を組み込むことができる。この機能は、ＳＭＧＦに存在する場合、ＳＭＧＦのオペレータが、条件に応じてイネーブル又はディスエーブルするようにもできる。
【００３９】
データコーディングスキームについては、ＰＤＣショートメッセージ仕様が、ショートメッセージのユーザデータをコード化するために用いられ得る多くのデータコーディングスキーム（例えばASCII、Shift、Shift JIS、及び２、３の名前付けのためＰＤＣ符号化等）を規定している。ショートメッセージ通信のためＩＭＴ−２０００によってサポートされているデータコーディングスキームは、ＧＳＭ０３．３８で規定されている。これらは、デフォルト値のアルファベット、８ビットコーディング、及びUnicodeを含む。また、ユーザ専用のデータコーディングスキームを規定することも可能である。
【００４０】
ＰＤＣショートメッセージが、ＩＭＴ−２０００ハンドセットによってサポートされていない形式にコーディングされたユーザデータをもってＩＭＴ−２０００ハンドセットに送信された場合には、適切に解釈されない。同様に、ＰＤＣハンドセットに送信されたＩＭＴ−２０００ショートメッセージは、ＰＤＣハンドセットによってサポートされていないユーザデータコーディングを含み、同様にショートメッセージが適切に解釈されない。そのようなメッセージをハンドセットによって正しく処理することは、ネットワークオペレータが決定すべき事項である。
【００４１】
しかし、ある種のショートメッセージの場合は、ショートメッセージをハンドセットに転送し、うまく解釈されるようにするために異なるデータコーディングスキーム間での変換を行うのが望ましいこともある。
【００４２】
ＳＭＧＦには、異なるデータコーディングスキームのメッセージが異種の技術間で渡されることを可能にするデータコーディングスキーム変換を行う機能のレベルが組み込まれる。加えて、ＳＭＧＦが、宛先及び使用されるデータコーディングスキームに応じてショートメッセージを受容又は拒絶する処理手続きを実行するようにすることも可能である。
【００４３】
特定のメッセージクラス（例えばSkywalker、Relay Mail、Co-Ordinator、Hotline等）のショートメッセージを受信するハンドセットは、適切な手続きを実行し、適切な受信通知を戻すことができることが仮定されている。ＳＭＧＦは、ＰＤＣメッセージクラスとＩＭＴ−２０００の対応物へのテレサービスとの間での変換のための単純なテーブルを備えている。ＳＭＧＦは、オペレータコマンド及び設定ファイルの形の命令によって制御されるデータコーディングスキーム間での高度化されたプログラム可能なマッピング関数も備えている。
【００４４】
双方向メッセージ通信は、ＰＤＣショートメッセージ通信のテレサービスである。ＩＭＴ−２０００ハンドセットは、そのようなショートメッセージの受信時に、適切な手続きを実行し、独立したショートメッセージとして任意の応答を戻すことができる、とういうことが仮定されている。
【００４５】
ＰＤＣでは、双方向メッセージからの応答が、ＲＥＬ（開放）メッセージに含められる。ＳＭＧＦは、そのような応答をＩＭＴ−２０００ドメインにおける独立したメッセージに変換する。それらは、送信されるときに通過するＳＭＳＣを介して元のメッセージの送り手にアドレス指定される。
【００４６】
以下のリストは、ＳＭＧＦの機能上の特徴を要約したものである。
・３ＧＰＰ  ＭＡＰのサポート。
・ＰＤＣ  ＩＤＵＰのサポート。
・ＩＭＴ−２０００ショートメッセージからＰＤＣショートメッセージへの変換ロジック。
・ＰＤＣショートメッセージからＩＭＴ−２０００ショートメッセージへの変換ロジック。
・ＩＭＴ−２０００ショートメッセージのセグメント化。
・ショートメッセージ及びコールルーティング機能。
・データコーディングスキーム変換機能。
・メッセージクラス及び双方向メッセージ通信処理機能。
・プリフィクスマッピングテーブルのサポート。
【００４７】
ＳＭＧは、統計データを収集し、それらを外部的に解析するために利用可能にするためのデータキャプチャプログラム及びデータベースを有する。統計値は、周期的な時間間隔（例えば、５〜１５分間隔）に収集される。統計値としては、・ＭＡＰ統計値
・ＩＳＵＰ統計値
・ＵＮＩＸ（登録商標）統計値
・ＴＣＡＰ統計値
・ＳＣＣＰ及びＭＴＰ統計値
・各シナリオ毎の統計値
が挙げられる。
【００４８】
ＳＭＧは、システム診断のためのネットワークトランザクションログを維持している。この診断データは、例えば受信されたメッセージ及び過剰な数のメッセージのバーストのタイミングのようなパラメータに基いて捕捉される。これらのログがただ１つのシナリオに限定されるようにすることもできる。ＳＭＧＦは、全システムの状態を観察する総合的な能力とともに、事象及び障害を監視する能力を提供する。ＳＭＧＦは、プラットフォームの状態を監視するため、適切なオペレーションを提供しネットワーク管理を目的とするインタフェースをサポートする。
【００４９】
以下は、ショートメッセージゲートウェイアーキテクチャをサポートするための、ＩＭＴ−２０００ドメインにおけるコアネットワーク要素に対する影響を要約したものである。ＰＤＣネットワークインフラストラクチャの場合も、特に変更を加える必要はない。
【００５０】
ＰＤＣネットワークへの相互接続手段としての役目を果たす、即ちＰＤＣネットワークから入ってくるコールを処理することが予想されるゲートウェイスイッチは、ショートメッセージを運びかつそのようなコールをショートメッセージゲートウェイに転送するために用いられる特別なＰＤＣコールセットアップ試行を認識できなければならない。そのようなコール試行は、ＩＳＵＰ  ＩＡＭオペレーションにおけるＣＰＣ（Calling Party Category）値によって特定され得る。
【００５１】
２つの値が特定され、その１つは、ＩＡＭの中継するＰＤＣ移動体発信ショートメッセージのための値であり、他方はＩＡＭの中継するＰＤＣ移動体宛ショートメッセージのための値である。ＰＤＣ移動体発信ショートメッセージ場合は、ＣＰＣがＳＭＥ（ショートメッセージエンティティ）即ちＰＤＣハンドセットを表示し、移動体宛ショートメッセージの場合は、ＣＰＣがＳＭＳＣを表示する。ＩＭＴ−２０００ゲートウェイＭＳＣは、これらのＣＰＣ設定のいずれかを含むＰＤＣネットワークからＳＭＧＦへのＩＡＭの転送ができなければならない。
【００５２】
Calling Party's Category値パラメータコードは２進法で０００１００１である。これは、ＩＳＵＰ  ＩＡＭオペレーションにおいて必須の固定長（１バイト）パラメータである。ＰＤＣショートメッセージのために用いられる値としては、
移動体宛    １１１１１１００（０ｘＦＣ）
移動体発信  １１１１１１０１（０ｘＦＤ）
がある。
【００５３】
ＳＭＧＦは、ＩＭＴ−２０００  ＨＬＲがルーティング情報の問合せを受けたとき特定の情報を戻し、擬似コール及びショートメッセージの正しいルーティングが可能となるようにすることを要求する。
【００５４】
ＩＭＴ−２０００ネットワークにおいて、ＩＭＴ−２０００ＳＭＳＣは、ショートメッセージを転送するためにハンドセットのサービス提供ＶＭＳＣのアドレスを認識している必要がある。この情報は、ＳＲＩ＿ＳＭ（Send Routing Information for Short Message）問合せをＩＭＴ−２０００  ＨＬＲに送信することによって得られる。ＩＭＴ−２０００  ＨＬＲは、サービス提供ＶＭＳＣのアドレスを含むＳＲＩ＿ＳＭ応答をもって応答する。次いでＩＭＴ−２０００ＳＭＳＣは、ＦＳＭ（Forward Short Message）を用いて受信されたＶＭＳＣアドレスにショートメッセージをフォワーディングする。
【００５５】
宛先ハンドセットがＰＤＣネットワークに位置している場合、ＰＤＣ形式のショートメッセージを転送するために必要な手続きを実行するために、ショートメッセージは初めにＳＭＧＦにルーティングされる必要がある。従って、この場合ＩＭＴ−２０００  ＨＬＲは、ＳＲＩ＿ＳＭの問合せがされたとき、ＳＲＩ＿ＳＭ応答におけるサービス提供ＶＭＳＣのアドレスとしてＳＭＧＦのアドレスを戻されなければならない。
【００５６】
詳述すると、ＩＭＴ−２０００  ＨＬＲは、ＳＲＩ＿ＳＭ問合せに応答して、照会された端末が、
・ＰＤＣ端末
・ＰＤＣネットワークにローミング中のＩＭＴ−２０００端末
の何れかであるとき、ＳＲＩ＿ＳＭ応答におけるサービス提供ＶＭＳＣのアドレスとしてＳＭＧＦのアドレスを戻されなければならない。
【００５７】
ＰＤＣネットワークでは、ショートメッセージが、ユーザデータとしてショートメッセージを運ぶ擬似コールを用いて配信される。従って、ＰＤＣネットワークにおいてショートメッセージをルーティングすることは、音声コールのルーティングに類似している。即ちＭＳＣがその端末に応じてサービス提供ＶＭＳＣへのルーティング情報をＨＬＲ又はＧＬＲに問い合わせる。ＨＬＲ／ＧＬＲはＰＲＮ（Pursuit Routing Number）を戻し、これはサービス提供ＶＭＳＣへのコールをルーティングするために用いられる。
【００５８】
上述のように、ＩＭＴ−２０００ＳＭＳＣからのＰＤＣネットワークにあるハンドセット宛のショートメッセージは、初めにＳＭＧＦにルーティングされなければならない。次にＳＭＧＦは、ＩＭＴ−２０００ＨＬＲからルーティング情報を得て、ＰＤＣネットワークへの擬似コールをセットアップしなければならない。このルーティング情報は、ＩＭＴ−２０００ＨＬＲに特定の端末についてのＳＲＩ（Send Routing Information）要求を送信することによって得られる。ＩＭＴ−２０００ＨＬＲは、サービス提供ＶＭＳＣへのコールをルーティングするために用いられる番号であるＭＳＲＮ（Mobile Station Roaming Number）を示すＳＲＩ応答をもって応答する。
【００５９】
ＰＤＣネットワークにおいてショートメッセージを受信できる端末は２種類存在するが、それらはＰＤＣ端末と、ＰＤＣネットワークにローミング中のＩＭＴ−２０００端末である。更にこれらの端末は移植された番号を有し得る。
【００６０】
ＰＤＣネットワークとＩＭＴ−２０００ネットワークとの間で番号を移植することから、ＩＭＴ−２０００ネットワークにおいて発信されＩＭＴ−２０００番号又はＰＤＣ番号の何れかを宛先とするコールは、初めにＩＭＴ−２０００ＨＬＲに問合せられなければならない。ＩＭＴ−２０００ＨＬＲに照会された番号のエントリが存在しない場合には、ＩＭＴ−２０００ＨＬＲは、それが存在するならばどのネットワークにルーティングされるべきかを表示する応答を戻す必要がある。この理由により、ＩＭＴ−２０００ＨＬＲは、ＩＭＴ−２０００ネットワークに移植された番号及びそこから外部に移植された番号を認識しておく必要がある。
【００６１】
詳述すると、ＩＭＴ−２０００ＨＬＲに要求されるのは、ＰＤＣ端末の種類を表示するためＰＤＣ端末への擬似コールのための適切な情報を戻すこと、即ち移植されたＩＭＴ−２０００番号を用いているＰＤＣ端末であるのか、そうであるならばどのネットワークから移植されたのかを戻すことである。この情報に基いて、ＳＭＧＦは適切なプリフィクスをコールされた端末の番号に付加し、擬似コールをＩＭＴ−２０００  ＧＭＳＣにルーティングする。ＩＭＴ−２０００  ＧＭＳＣはそのプリフィクスを解釈し、適切なＰＤＣネットワークへのルーティングを行う役目を担う。
【００６２】
ＰＤＣネットワークにローミング中のＩＭＴ−２０００端末についての問合せの場合は、ＩＭＴ−２０００  ＨＬＲは、ＰＤＣ  ＧＬＲによって供給されるＰＤＣローミング番号即ちＲＯＮ（Roaming Number）を戻すことを要求される。ＳＭＧＦは、このＲＯＮをＩＭＴ−２０００ＧＭＳＣへの擬似コールセットアップにおけるCalled Party Addressにおいて用いる。ＩＭＴ−２０００ＧＭＳＣは、正しいＰＤＣネットワークへのその擬似コールを正しくルーティングする役目を担い、ＰＤＣネットワークはローミング中のＩＭＴ−２０００端末への擬似コールセットアップを実行する。
【００６３】
以下の表は、ＳＲＩ＿ＳＭ及びＳＲＩ問合せのためＳＭＧＦによって要求されたＩＭＴ−２０００からの応答を要約したものである。
【００６４】
【表１】
0004599548.tif 000002
【００６５】
ＳＭＳＣは、ショートメッセージを分類して、サービス提供ハンドセットによって処理され得るもののみを転送することができる。転送できないメッセージが、転送され得るものを妨害することはない。従ってＳＭＳＣは、テキストメッセージ、ＰＤＣリングトーンダウンロードメッセージ、及び他のバイナリメッセージを判別する。個別のキューが維持され、或るカテゴリのメッセージが拒絶される場合でも、他のカテゴリにあるメッセージは処理され得る。
【００６６】
以下に、移動体宛ショートメッセージの場合に生じ得る信号送信シナリオについて説明する。
１．ＩＭＴ−２０００  ＳＭＳＣからＩＭＴ−２０００ネットワークにあるＩＭＴ−２０００端末へのショートメッセージ
図５は信号の転送を示す。信号１乃至４は以下の通りである。
１．ＩＭＴ−２０００  ＳＭＳＣがＳＭ（ショートメッセージ）ルーティング問合せをＩＭＴ−２０００ＨＬＲに送信することによってＳＭ転送を開始する。ＳＭルーティング問合せ、ＳＲＩ＿ＳＭ（Send Routing Info for Short Message）は、宛先ハンドセットのＭＳＩＳＤＮに基いて適切なＩＭＴ−２０００ＨＬＲにルーティングされる。
２．ＩＭＴ−２０００ＨＬＲは、サービス提供ＶＭＳＣのアドレスを含むＳＲＩ＿ＳＭ  ＡｃｋでＳＲＩ＿ＳＭ問合せに応答する。
３．ＩＭＴ−２０００  ＳＭＳＣは、ＶＭＳＣアドレスを含むＳＲＩ＿ＳＭ  Ａｃｋの受信時に、ＦＳＭ（Forward Short Message）を特定されたＶＭＳＣにルーティングする。
４．ＶＭＳＣは、ＩＭＴ−２０００ハンドセットへのＳＭの転送を実行する。
【００６７】
２．ＩＭＴ−２０００  ＳＭＳＣからＰＤＣネットワークにローミング中のＩＭＴ−２０００端末へのショートメッセージ
図６は、このシナリオのための以下の信号１乃至１０を示す。
１．ＩＭＴ−２０００  ＳＭＳＣが、ＳＭ転送のためのＳＲＩ＿ＳＭを発生し、これは適切なＩＭＴ−２０００ＨＬＲにルーティングされる。
２．ＩＭＴ−２０００  ＨＬＲは、ＳＭＧＦのアドレスを含むＳＲＩ＿ＳＭ  ＡｃｋでＳＲＩ＿ＳＭ問合せに応答する。
・ＩＭＴ−２０００ネットワークでは、ＨＬＲが特定のＭＳＩＳＤＮのためのＳＲＩ＿ＳＭを受信したとき、それが要求者に戻す情報のなかの重要な要素の１つは、そのハンドセットのためのサービス提供ＶＭＳＣのアドレスである。ＳＭＧＦソリューションの重要な要件は、ＩＭＴ−２０００ＨＬＲが、ＰＤＣネットワークにローミング中のＩＭＴ−２０００端末のため、ＳＲＩ＿ＳＭ  Ａｃｋにおけるサービス提供ＶＭＳＣアドレスとしてＳＭＧＦアドレスを戻すことである。・ＰＤＣネットワークにローミング中のＩＭＴ−２０００端末のためＳＭＧＦアドレスを表示するべくＩＭＴ−２０００ＨＬＲを更新する方法は、ネットワークオペレーションによって実現されるローミングインフラストラクチャによって決まる。ＳＭＧＦソリューションは、このローミングインフラストラクチとは無関係である。
３．ＩＭＴ−２０００  ＳＭＳＣは、ＳＭＧＦアドレスを含むＳＲＩ＿ＳＭ  Ａｃｋの受信時に、ＦＳＭを特定されたＳＭＧＦにルーティングする。
・ＳＭＧＦは、ＦＳＭの受信時に、宛先ハンドセットのＭＳＩＳＤＮを含むＳＲＩ（Send Routing Info）を、適切なＩＭＴ−２０００ＨＬＲに向けて発信する。ＳＲＩ問合せは、ローミング中のＩＭＴ−２０００端末のＭＳＲＮ（Mobile Subscriber Roaming Number）を獲得するために用いられる。
４．ＩＭＴ−２０００ＨＬＲは、ＰＤＣネットワークにローミング中のＩＭＴ−２０００端末のＭＳＲＮを含むＳＲＩ  ＡｃｋをもってＳＲＩ問合せに応答する。ＭＳＲＮは、ＰＤＣローミング番号即ちＲＯＮ（ROming Number）を含む。ここでＳＭＧＦソリューションの重要な要件は、ＩＭＴ−２０００ＨＬＲが、ＰＤＣネットワークにローミング中のＩＭＴ−２０００端末のためＳＲＩ  ＡｃｋのＭＳＲＮフィールドにＲＯＮを戻すことである。
・ＰＤＣネットワークにローミング中のＩＭＴ−２０００端末のためＩＭＴ−２０００ＨＬＲがＭＳＲＮ／ＲＯＮをとりだすための方法は、ネットワークオペレーションによって実現されるローミングインフラストラクチャによって決まる。ＳＭＧＦソリューションは、ローミングインフラストラクチャとは無関係である。
５．ＳＭＧＦは、ＲＯＮを含むＳＲＩ  Ａｃｋの受信時に、ＩＭＴ−２０００  ＳＭからＰＤＣ  ＳＭへの形式の変換を行う。次にＳＭＧＦは、ＰＤＣ  ＳＭをＰＤＣ  ＩＳＵＰ  ＩＳＮメッセージにマッピングする。ＩＡＭ（Initial Address Message初期アドレスメッセージ）におけるＣｄＰＡ（Called Party Address）はＲＯＮを代入され、ＩＭＴ−２０００  ＧＭＳＣにルーティングされる。
６．ＩＭＴ−２０００  ＧＭＳＣは、ＩＡＭをＰＤＣ  ＧＭＳＣにルーティングする。
７．ＰＤＣ  ＧＭＳＣは、ＲＯＮを含むＰＤＣ  ＭＡＰ  ＴＣＩＲ（Terminating Call Information Retrieval）要求を、適切なＧＬＲに送信する。ＧＬＲは、ルーティング情報即ちＰＲＮ（Pursuit Routing Number）を含むＴＣＩＲ応答をもって、ＰＤＣネットワークにおけるサービス提供ＶＭＳＣに応答する。
８．ＰＤＣ  ＧＭＳＣは、ＰＲＮによって特定されたＶＭＳＣにＩＡＭを送信する。
９．ＶＭＳＣは、ＩＭＴ−２０００端末ハンドセットへのページングを開始し、ＰＤＣ  ＳＥＴＵＰメッセージを介してＳＭを中継する。
【００６８】
３．ＩＭＴ−２０００  ＳＭＳＣからＰＤＣネットワークにあるＰＤＣ端末へのショートメッセージ
図７は、以下の信号１乃至１０を示す。
１．ＩＭＴ−２０００  ＳＭＳＣは、適切なＩＭＴ−２０００ＨＬＲにルーティングされるＳＭ転送のためのＳＲＩ＿ＳＭを発生する。
２．ＩＭＴ−２０００ＨＬＲは、受信したＳＲＩ＿ＳＭにおけるＭＳＮ即ちＰＤＣディレクトリ番号を調べ、それをＰＤＣ番号として特定する。ＩＭＴ−２０００  ＨＬＲは、サービス提供ＭＳＣとしてＳＭＧＦを特定するＳＲＩ＿ＳＭ  Ａｃｋでをもって応答しなければならない。ＳＭＧＦの要件は、ＩＭＴ−２０００ＨＬＲが、ＰＤＣネットワークにあるＰＤＣ端末のためＳＲＩ＿ＳＭ  Ａｃｋにおけるサービス提供ＶＭＳＣとしてＳＭＧＦアドレスを戻すことである。
３．ＩＭＴ−２０００  ＳＭＳＣは、ＳＭＧＦアドレスを含むＳＲＩ＿ＳＭ  Ａｃｋの受信時にＦＳＭを特定されたＳＭＧＦにルーティングする。
４．ＳＭＧＦは、ＦＳＭの受信時、ＰＤＣネットワークへの擬似コールをセットアップするためＩＭＴ−２０００ＨＬＲにルーティング情報を問合せする。ＳＭＧＦは、ＰＤＣ端末番号を含むＳＩＲ問合せをＩＭＴ−２０００ＨＬＲに送信する。
５．ＩＭＴ−２０００  ＨＬＲは、ＰＤＣ端末の種類及びその端末が登録されているＰＤＣネットワークを示すＰＳＴ（PDC Subscriber Type）情報を含むＳＲＩ  Ａｃｋ応答を戻す。
６．ＳＲＩ  Ａｃｋにおいて受信されたＰＳＴ情報に基き、ＳＭＧＦは、適切なプリフィクス番号を加入者ディレクトリ番号に付加しこの組み合わせを用いてＩＡＭメッセージのCalled Party Addressに代入する。ＳＭＧＦはまた、ＩＭＴ−２０００  ＳＭからＰＤＣ  ＳＭへの変換を行い、ＩＡＭにこの情報を代入する。次にＳＭＧＦは、そのＩＡＭをＩＭＴ−２０００  ＧＭＳＣに送信する。
７．ＩＭＴ−２０００  ＧＭＳＣは、ＣｄＰＡに付加されたプリフィクスに基いてＩＡＭを適切なＰＤＣ  ＧＭＳＣにルーティングする。
８．ＰＤＣ  ＧＭＳＣは、ＩＡＭの受信時に、ＭＳＮを府ｊ組むＰＤＣ  ＭＡＰ  ＴＣＩＲ（Terminating Call Information Retrieval）要求を、適切なＰＤＣ  ＨＬＲに送信する。ＰＤＣ  ＨＬＲは、ルーティング情報即ちＰＲＮを含むＴＣＩＲ応答をもって、サービス提供ＶＭＳＣに応答する。ＩＡＭのＣｄＰＡに付加されたプリフィクスを正しく解釈することは、ＰＤＣ  ＧＭＳＣの役目である。
９．ＰＤＣ  ＧＭＳＣは、ＰＲＮによって特定されたＶＭＳＣにＩＡＭを送信する。
１０．ＶＭＳＣは、ＳＭをＰＤＣ端末ハンドセットに転送する。
【００６９】
４．ＰＤＣ  ＳＭＳＣからＰＤＣネットワークにあるＰＤＣ端末へのショートメッセージ
図８は、以下の信号１乃至３を示す。
１．ＰＤＣ  ＳＭＳＣが、ユーザデータとしてのＰＤＣショートメッセージを含むＩＡＭを、ＩＷ−ＭＳＣにルーティングする。ＩＷ−ＭＳＣは、ＣＰＣ（Calling Party's Category）の値からそのＩＡＭがショートメッセージコールであることを特定し、実際の音声経路を割り当てることはしない。
２／３．次に信号送信が、通常のコールセットアップと同様に行われる。ＩＷ−ＭＳＣは、ルーティング問合せメッセージＴＣＩＲ要求をＨＬＲに送信する。ＨＬＲは、サービス提供ＶＭＳＣへのルーティング情報即ちＰＲＮを含むＴＣＩＲ応答を戻す。
・ＶＭＳＣは、ＰＤＣ端末へのページングを開始し、ＰＤＣ  ＳＥＴＵＰメッセージを介してＳＭを転送する。
【００７０】
５．ＰＤＣ  ＳＭＳＣからＩＭＴ−２０００ネットワークにあるＩＭＴ−２０００端末へのショートメッセージ
図９は、以下の信号１乃至７を示す。
１．ＰＤＣ  ＳＭＳＣが、ユーザデータとしてＰＤＣショートメッセージを含むＩＡＭをＩＷ−ＭＳＣにルーティングする。
２．ＰＤＣネットワークが、ＩＭＴ−２０００  ＧＭＳＣにそのコールをルーティングする（その番号が、ＩＭＴ−２０００ネットワークに移植されたＰＤＣ番号である場合は、ＰＤＣネットワークにおいていくつかの番号移植機能が必要となる）。
３．ＩＭＴ−２０００  ＧＭＳＣは、ＣＰＣの値が移動体宛ショートメッセージＩＡＭを表示するＳＭＳＣにセットされているとき、ＩＡＭをＳＭＧＦに転送する。これは、ＳＭＧＦソリューションのためのＩＭＴ−２０００  ＧＭＳＣに対する重要な要件である。
４．ＳＭＧＦは、ＩＡＭの受信時に、ＣＰＣ値からそれがＭＴショートメッセージコールであることを検出し、ＭＳＩＳＤＮ／ＭＳＮを代入されたＳＲＩ＿ＳＭを適切なＩＭＴ−２０００ＨＬＲに送信する。
５．ＩＭＴ−２０００ＨＬＲは、サービス提供ＶＭＳＣのアドレスを含むＳＲＩ＿ＳＭ  ＡｃｋでＳＲＩ＿ＳＭに応答する。
６．ＳＭＧＦは、ＶＭＳＣアドレスを含むＳＲＩ＿ＳＭ  Ａｃｋの受信時に、ＰＤＣ  ＳＭからＩＭＴ−２０００  ＳＭへの変換を行い、ＦＳＭを特定されたサービス提供ＶＭＳＣに送信する。
７．ＶＭＳＣは、ＳＭをＩＭＴ−２０００端末ハンドセットにルーティングする。
【００７１】
６．ＰＤＣ  ＳＭＳＣからＰＤＣネットワークにローミング中のＩＭＴ−２０００端末へのショートメッセージ
図１０は、以下の信号１乃至１２を示す。
１．ＰＤＣ  ＳＭＳＣは、ユーザデータとしてのＰＤＣショートメッセージを含むＩＡＭをＩＷ−ＭＳＣにルーティングする。
２．ＰＤＣネットワークが、そのコールをＩＭＴ−２０００  ＧＭＳＣにルーティングする。
３．ＣＰＣの値がＳＭＳＣにセットされているとき、ＩＭＴ−２０００  ＧＭＳＣはＩＡＭをＳＭＧＦに転送する。
４．ＳＭＧＦは、ＩＡＭ受信時、ＣＰＣ設定から、それがＭＴショートメッセージコールであることを検出し、従ってＭＳＩＳＤＮ／ＭＳＮが代入されたＳＲＩ＿ＳＭを適切なＩＭＴ−２０００  ＨＬＲに送信する。
５．ＩＭＴ−２０００  ＨＬＲは、サービス提供ＶＭＳＣとしてのＳＭＧＦのアドレスを含むＳＲＩ＿ＳＭ  ＡｃｋをもってＳＲＩ＿ＳＭに応答する。前述のように、ＩＭＴ−２０００は、ＰＤＣネットワークにおいてローミング中のＩＭＴ−２０００端末のためＳＲＩ＿ＳＭ  ＡｃｋにおけるＳＭＧＦアドレスを戻すための要件が存在する。
６．ＳＭＧＦは、ＳＭＧＦアドレスを含むＳＲＩ＿ＳＭ  Ａｃｋの受信時、ＳＲＩメッセージをＩＭＴ−２０００ＨＬＲに送信することによって応答する。
７．ＩＭＴ−２０００ＨＬＲは、ＰＤＣ  ＲＯＮが代入されたＭＳＲＮを有するＳＲＩ  Ａｃｋを戻す。
８．この場合、ＳＭＧＦは、ＲＯＮを含むＳＲＩ  Ａｃｋの受信時、受信されたＩＡＭに基いて新たなＩＡＭを発生し、ＣｄＰＡにＲＯＮを代入する。次にＩＡＭはＩＭＴ−２０００  ＧＭＳＣに転送されて戻される。
９．ＩＭＴ−２０００  ＧＭＳＣは、ＩＡＭをＰＤＣ  ＧＭＳＣにルーティングする。
１０．ＰＤＣ  ＧＭＳＣは、サービス提供ＶＭＳＣへのルーティング情報即ちＰＲＮをＧＬＲに照会する。
１１．ＰＤＣ  ＧＭＳＣは、ＰＲＮによって特定されたＶＭＳＣにＩＡＭをルーティングする。
１２．ＶＭＳＣはページングを開始し、ＳＭをＳＥＴＵＰメッセージを介して端末ハンドセットに送信する。
【００７２】
７．ＰＤＣ  ＳＭＳＣからＰＤＣネットワークにある移植されたＩＭＴ−２０００番号を有する端末へのショートメッセージ
図１１は、以下の信号１乃至１２を示す。
１．ＰＤＣ  ＳＭＳＣは、ユーザデータとしてのＰＤＣショートメッセージを含むＩＡＭをＩＷ−ＭＳＣにルーティングする。
２．ＰＤＣネットワークが、そのコールをＩＭＴ−２０００  ＧＭＳＣにルーティングする。発信元及び行先ＰＤＣネットワークが同一であるこの特定の場合には、ＰＤＣ  ＩＷ−ＭＳＣが初期ＩＡＭをの受信時に移植されたＩＭＴ−２０００  ＭＳＩＳＤＮを有するＰＤＣ端末のためのルーティング情報を戻すＰＤＣ  ＨＬＲへの問合せを行う場合、ＩＭＴ−２０００ネットワークへのコールのルーティングは無くすことができる。この場合には、このシナリオは、区分して示されているＰＤＣディレクトリ番号を有するＰＤＣ端末にＳＭを転送する場合と全く同一なものとなる。
３．ＣＰＣの値がＳＭＳＣにセットされているとき、ＩＭＴ−２０００  ＧＭＳＣはＩＡＭをＳＭＧＦに転送する。
（Ｐ２４Ｃ）４．ＳＭＧＦは、ＩＡＭ受信時、ＣＰＣから、それがＭＴショートメッセージコールであることを検出し、ＭＳＩＳＤＮにセットされたＣｄＰＡ（Called Party Address）を有するＳＲＩ＿ＳＭをＩＭＴ−２０００  ＨＬＲに送信する。
５．ＩＭＴ−２０００  ＨＬＲは、ＳＲＩ＿ＳＭにおいて照会されたＭＳＩＳＤＮ番号が、移植されたＩＭＴ−２０００番号を有するＰＤＣ端末であることを特定し、従ってＳＲＩ＿ＳＭ  ＡｃｋにおけるＳＭＧＦアドレスを戻す。前述のように、これは、ＳＭＧＦソリューションのためのＩＭＴ−２０００ＨＬＲに対する要件である。
６．ＳＭＧＦは、ＳＭＧＦアドレスを含むＳＲＩ＿ＳＭ  Ａｃｋの受信時、ＭＳＩＳＤＮを代入されたＳＲＩメッセージをＩＭＴ−２０００ＨＬＲに送信することによって応答する。
７．ＩＭＴ−２０００ＨＬＲは、ＰＤＣ端末の種類及びその端末が登録されたＰＤＣネットワークを示すＰＳＴ（PDC Subscriber Type）情報を含むＳＲＩ  Ａｃｋを戻す。
８．ＳＲＩ  Ａｃｋのなかで受け取ったＰＣＴ情報に基き、ＳＭＧＦは、適切なプリフィクス番号を加入者ディレクトリ番号に付加し、この組み合わせを用いてＩＡＭメッセージのCalled Party Addressを代入する。またＳＭＧＦはＩＭＴ−２０００  ＳＭからＰＤＣ  ＳＭへの変換も行い、この情報をＩＡＭに代入する。次にＳＭＧＦは、ＩＡＭをＩＭＴ−２０００  ＧＭＳＣに送信して戻す。
９．ＩＭＴ−２０００  ＧＭＳＣは、ＣｄＰＡのプリフィクスに基いてＩＡＭをＰＤＣ  ＧＭＳＣにルーティングする。
１０．ＰＤＣ  ＧＭＳＣは、ＩＡＭの受信時に、サービス提供ＶＭＳＣへのルーティング情報を適切なＰＤＣ  ＨＬＲに照会する。これは、ＰＲＮを戻す。ＣｄＰＡにおけるプリフィクスを適切に解釈するのは、ＰＤＣ  ＧＭＳＣの役目である。
１１．ＰＤＣ  ＧＭＳＣは、ＰＲＮによって特定されたＶＭＳＣにＩＡＭをルーティングする。
１２．ＶＭＳＣはページングを開始し、ＳＭをＳＥＴＵＰメッセージを介して端末ハンドセットに送信する。
【００７３】
８．ＩＭＴ−２０００ネットワークにあるＩＭＴ−２０００端末からそのホームＩＭＴ−２０００  ＳＭＳＣへのショートメッセージ
図１２は、以下の信号１乃至３を示す。
１．ＩＭＴ−２０００端末は、ショートメッセージの転送を開始する。サービス提供ＶＭＳＣに転送されるそのショートメッセージは、ホームＩＭＴ−２０００  ＳＭＳＣのサービスセンターアドレスを含む。
２．サービス提供ＶＭＳＣは、ＳＲＩ＿ＭＯ＿ＳＭ（Send Routing Info for MO SM）をＶＬＲに送信し、端末（加入者）関連情報をチェックする。ＶＬＲは、加入者情報を確認するＳＲＩ＿ＭＯ＿ＳＭ  Ａｃｋを戻す。
３．ＶＭＳＣは、肯定的なＳＲＩ＿ＭＯ＿ＳＭ  Ａｃｋの受信時に、移動ステーションから受け取ったサービスセンターアドレスによって特定されるホームＩＭＴ−２０００  ＳＭＳＣにＦＳＭを送信する。
【００７４】
９．ＰＤＣネットワークでローミング中のＩＭＴ−２０００端末からそのホームＩＭＴ−２０００  ＳＭＳＣへのショートメッセージ
図１３は、以下の信号１乃至４を示す。
１．ＰＤＣネットワークでローミング中のＩＭＴ−２０００端末が、ショートメッセージ転送を開始する。ホームＩＭＴ−２０００  ＳＭＳＣサービスセンターアドレスを含むＳＥＴＵＰメッセージが、サービス提供ＶＭＳＣに送信される。
２．ＶＭＳＣは、ＩＭＴ−２０００  ＳＭＳＣアドレスにセットされたそのＣｄＰＡを有するＩＡＭメッセージを、ＩＭＴ−２０００  ＧＭＳＣにルーティングする。
３．ＩＭＴ−２０００  ＧＭＳＣは、ＳＭＥ即ち移動体発信ショートメッセージＩＡＭコールを表示するＣＰＣに基いてＩＡＭをＳＭＧＦに再ルーティングする。これはＳＭＧＦソリューションのためのＩＭＴ−２０００  ＧＭＳＣに対する重要な要件である。
４．ＳＭＧＦは、ＩＡＭの受信時、ＣＰＣの設定からこれが移動体発信ショートメッセージコールであることを検出し、従ってＰＤＣ  ＳＭからＩＭＴ−２０００  ＳＭへの形式の変換を行う。次に、ＩＭＴ−２０００  ＳＭは、ＦＳＭにてＩＭＴ−２０００  ＳＭＳＣにフォワーディングされる。
【００７５】
１０．ＰＤＣネットワークにあるＰＤＣ端末からそのホームＰＤＣ  ＳＭＳＣへのショートメッセージ
図１４は、以下の信号１及び２を示す。
１．ＰＤＣ端末が、ショートメッセージ転送を開始する。ホームＰＤＣ  ＳＭＳＣを含むコールＳＥＴＵＰメッセージが、サービス提供ＶＭＳＣに送信される。
２．ＶＭＳＣは、ＩＡＭをホームＰＤＣ  ＳＭＳＣにルーティングする。
【００７６】
本発明は、異なるネットワーク間での包括的かつ汎用性の高いＳＭ通信を提供するものであることが理解されよう。そして、このことはネットワークの何れをも変更することなく達成される。
【００７７】
本発明は、ここに説明した実施態様に限定されず、その構造及び細部を様々に変更することができる。
【図面の簡単な説明】
【図１】  本発明のショートメッセージゲートウェイシステムを示す概略図。
【図２】  本発明のショートメッセージゲートウェイシステムを示す概略図。
【図３】  本発明のショートメッセージゲートウェイシステムを示す概略図。
【図４】  本発明のショートメッセージゲートウェイシステムを示す概略図。
【図５】  ショートメッセージのインタワークシナリオの１つを示す信号転送図。
【図６】  ショートメッセージのインタワークシナリオの１つを示す信号転送図。
【図７】  ショートメッセージのインタワークシナリオの１つを示す信号転送図。
【図８】  ショートメッセージのインタワークシナリオの１つを示す信号転送図。
【図９】  ショートメッセージのインタワークシナリオの１つを示す信号転送図。
【図１０】  ショートメッセージのインタワークシナリオの１つを示す信号転送図。
【図１１】  ショートメッセージのインタワークシナリオの１つを示す信号転送図。
【図１２】  ショートメッセージのインタワークシナリオの１つを示す信号転送図。
【図１３】  ショートメッセージのインタワークシナリオの１つを示す信号転送図。
【図１４】  ショートメッセージのインタワークシナリオの１つを示す信号転送図。
【図１】
0004599548.tif 000003
【図２】
0004599548.tif 000004
【図３】
0004599548.tif 000005
【図４】
0004599548.tif 000006
【図５】
0004599548.tif 000007
【図６】
0004599548.tif 000008
【図７】
0004599548.tif 000009
【図８】
0004599548.tif 000010
【図９】
0004599548.tif 000011
【図１０】
0004599548.tif 000012
【図１１】
0004599548.tif 000013
【図１２】
0004599548.tif 000014
【図１３】
0004599548.tif 000015
【図１４】
0004599548.tif 000016